(57)【要約】【課題】台支持体への後付けが容易で、かつ台交換と解除作業が容易な遊技台の防犯装置を提供する。【解決手段】手前方向に開く態様で台支持体に枢設される前扉１３を有する遊技台の防犯装置１であって、台支持体の本体から手前に張出す張出し台部１１ｂに固定される本体部２と、本体部２に手前奥方向に傾動可能に取付けられる傾動体３と、傾動体３の奥方向への傾動を許容しかつ手前方向への傾動を不能にするワンウェイ機構４と、ワンウェイ機構４を解除して傾動体３を手前方向に傾動許容する解除部材６とを有している。そして傾動体３は、奥方向に傾動されることで前扉１３を開放阻止するロック位置に傾動し、ワンウェイ機構４によって手前方向への傾動が規制され、解除部材６によってワンウェイ機構４を解除して手前方向に傾動されることによって前扉１３を開放許容するアンロック位置に傾動する。【選択図】図３
2009056094.tif 000002
【特許請求の範囲】
【請求項１】
手前方向に開く態様で台支持体に枢設される前扉を有する遊技台の防犯装置であって、
前記台支持体の本体から手前に張出す張出し台部に固定される本体部と、その本体部に手前奥方向に傾動可能に取付けられる傾動体と、その傾動体の奥方向への傾動を許容しかつ手前方向への傾動を不能にするワンウェイ機構と、そのワンウェイ機構を解除して前記傾動体を手前方向に傾動許容する解除機構とを有し、
前記傾動体は、奥方向に傾動されることで前記前扉を開放阻止するロック位置に傾動し、前記ワンウェイ機構によって手前方向への傾動が規制され、前記解除機構によって前記ワンウェイ機構を解除して手前方向に傾動されることによって前記前扉を開放許容するアンロック位置に傾動することを特徴とする遊技台の防犯装置。
【請求項２】
請求項１に記載の遊技台の防犯装置であって、
解除機構と、その解除機構を操作する錠軸を有するシリンダ錠と、ワンウェイ機構が本体部内に設けられて、これらが一体に組付けられていることを特徴とする遊技台の防犯装置。
【発明の詳細な説明】
【技術分野】
【０００１】
本発明は、パチンコ台やスロット台等の遊技台の前扉を不正に開放することを防止する防犯装置に関する。
【背景技術】
【０００２】
遊技台の前扉を不正に開放することを防止することによって、遊技台が不正に操作されることを防止する防犯装置が従来知られている。例えば特許文献１に記載の防犯装置は、Ｌ字棒状のロック部材と、ロック部材を傾動させるモータを有している。ロック部材は、一端部が遊技台の台支持体の上部に挿入され、一端部がモータの動力によって軸回転する。そしてロック部材の他端部は、前扉の前側のロック位置と、前扉よりも上方のアンロック位置との間で上下方向に傾動する。
【０００３】
特許文献２に記載の防犯装置は、Ｌ字板状のシャッターを有している。シャッターは、一片が台支持体の右側部に挿入されて抜止され、前扉の前側に張出した他片によって前扉の開放を阻止する。台支持体の右側部には、シリンダ錠と、シリンダ錠を操作することでシャッターの抜止めを解除する解除機構が設けられており、シャッターを台支持体から抜くことで前扉の開放を許容する。
【特許文献１】特開２００５−３４９０１７号公報
【特許文献２】特開２００６−２９６９６５号公報
【発明の開示】
【発明が解決しようとする課題】
【０００４】
しかし従来の防犯装置は、台支持体にロック部材やシャッターの一部を挿入し、その一部を台支持対内で保持する形態であるために台支持体を大きく加工する必要があった。また特許文献１に記載の防犯装置は、遊技台の台交換の際にロック部材の台支持体への挿入量を調整する必要がある構成であった。そのため台交換時に防犯装置を調整する必要があった。特許文献２に記載の防犯装置は、前扉を開放する度にシャッターを台支持体から取外す必要があるために解除作業が面倒であった。そこで本発明は、台支持体への後付けが容易で、かつ台交換と解除作業が容易な遊技台の防犯装置を提供することを課題とする。
【課題を解決するための手段】
【０００５】
前記課題を解決するために本発明は、各請求項に記載の通りの構成を備える遊技台の防犯装置であることを特徴とする。請求項１に記載の発明によると、台支持体の本体から手前に張出す張出し台部に固定される本体部と、その本体部に手前奥方向に傾動可能に取付けられる傾動体と、その傾動体の奥方向への傾動を許容しかつ手前方向への傾動を不能にするワンウェイ機構と、そのワンウェイ機構を解除して傾動体を手前方向に傾動許容する解除機構とを有している。そして傾動体は、奥方向に傾動されることで前扉を開放阻止するロック位置に傾動し、ワンウェイ機構によって手前方向への傾動が規制され、解除機構によってワンウェイ機構を解除して手前方向に傾動されることによって前扉を開放許容するアンロック位置に傾動する。
【０００６】
したがって防犯装置は、台支持体の張出し台部に固定される。そのため台支持体を大きく加工することなく、台支持体に後付けされ得る。また傾動体は、奥方向に傾動してロック位置になり、ワンウェイ機構によって手前方向に戻ることが規制される。そのため遊技台の厚みに応じて傾動体のロック位置を変えることができるため、台交換の際に防犯装置を調整することなく、各種遊技台に対応可能である。また防犯装置は、解除する際に傾動体を本体部から取外す必要がないために、解除作業を容易に行うことができる。
【０００７】
請求項２に記載の発明によると、解除機構と、その解除機構を操作する錠軸を有するシリンダ錠と、ワンウェイ機構が本体部内に設けられ、これらが一体に組付けられている。したがって防犯装置は、ユニットとして張出し台部に固定される。そのため張出し台部に容易に後付けされ得る。
【発明を実施するための最良の形態】
【０００８】
実施の形態を図１〜６にしたがって説明する。図１，２に示すように遊技島１０は、ホールに固定された台支持体１１を有しており、台支持体１１には、遊技台１２とコイン貸出機１１ａが複数交互に取付けられており、複数の防犯装置１も取付けられている。台支持体１１は、下部と上部に張出し台部１１ｂ，１１ｃを有している。張出し台部１１ｂ，１１ｃは、左右に延出する板状部材であって、台支持体１１の本体から手前側に張出している。下側の張出し台部１１ｂには、場合によって灰皿やジュースなど置かれることもある。上側の張出し台部１１ｃには、玉やコインを収納するケース１７等が載せられる。
【０００９】
遊技台１２は、図１，２に示すようにスロット台もしくはパチンコ台であって、ベース１４と前扉１３を有している。ベース１４は、筐体状であって、ベース１４の左側部には、ヒンジを介して前扉１３の左端部が回動可能に取付けられる。ベース１４の右側部と前扉１３の右端部の間には、前扉１３を閉じた位置においてベース１４に施錠する施錠装置１５が設けられている。
【００１０】
防犯装置１は、前扉１３が不正に開放されることを防止する装置であって、図１，２に示すように張出し台部１１ｂに固定される本体部２と、本体部２に傾動可能に取付けられる傾動体３を有している。本体部２は、図３，４に示すようにカバー２ａと、カバー２ａの内部に取付けられるベース２ｂと、カバー２ａの下面に取付けられる固定部２ｃを有している。固定部２ｃは、金属板製であって、本体部２が前扉１３よりも右側に位置するように、ねじやボルトなどによって張出し台部１１ｂの上に固定される。ベース２ｂは、上面に傾動体３が挿入される開口部２ｂ１を有している。
【００１１】
傾動体３は、図３，４に示すようにＬ字棒状であって、傾動軸部３ａと作用部３ｂを有している。傾動軸部３ａは、本体部２の開口部２ｂ１に挿入される。作用部３ｂは、傾動軸部３ａの上端から略直交して延出しており、図３（Ａ）に示すアンロック位置と、図３（Ｂ）に示すロック位置との間で傾動する。ロック位置における作用部３ｂは、前扉１３の前側に張出して前扉１３の開放を阻止する。アンロック位置における作用部３ｂは、前扉１３の手前右側に移動することで前扉１３の開放を許容する。作用部３ｂの先端には、前扉１３に向けて屈曲する屈曲部３ｂ１が形成されている。
【００１２】
本体部２の内部には、図４に示すようにワンウェイ機構４と解除機構（解除部材６）とシリンダ錠５が組付けられている。ワンウェイ機構４は、傾動体３をロック方向のみの傾動を許容し、アンロック方向の傾動を規制する機構あって、ギヤ部材４ａと爪部材４ｃを有している。ギヤ部材４ａは、下部外周に複数の歯４ａ１を有している。そしてギヤ部材４ａは、固定具４ｂによって傾動体３の傾動軸部３ａに固定される。
【００１３】
爪部材４ｃは、図４，５に示すように先端部にギヤ部材４ａの歯４ａ１に係止する爪４ｃ１を有している。爪部材４ｃの基端部は、取付具４ｅによってベース２ｂに傾動可能に取付けられる。取付具４ｅには、Ｏリング４ｆとコイルスプリング４ｄも装着される。コイルスプリング４ｄは、一端部がベース２ｂに取付けられるストッパー８に掛け止められ、他端部が爪部材４ｃに掛け止められる。そして爪部材４ｃは、コイルスプリング４ｄによってギヤ部材４ａに向けて付勢され、爪４ｃ１が歯４ａ１に対して略直交する。したがってギヤ部材４ａは、爪部材４ｃによって一方向に回動することが許容され、逆方向に回動することが規制される。そしてギヤ部材４ａは、歯４ａ１の数によって複数の位置で回動規制され得る。
【００１４】
解除機構は、ワンウェイ機構４を解除する機構であって、図４に示すように解除部材６を有している。解除部材６は、金属板製であって、力受部６ａと回り込み部６ｂと押部６ｃを一体に有している。力受部６ａは、非円形の取付穴６ａ１を有しており、取付穴６ａ１にシリンダ錠５の錠軸５ａの端部が回動不能に接続される。回り込み部６ｂは、ギヤ部材４ａを避けて爪部材４ｃに向けて延出しており、先端部から押部６ｃが延出している。押部６ｃは、解除部材６が回動した際に爪部材４ｃの解除力受部４ｃ２を押し、爪部材４ｃは、爪４ｃ１がギヤ部材４ａの歯４ａ１から外れる。これにより傾動体３は、フリーに傾動できるようになる。
【００１５】
傾動体３とギヤ部材４ａの間には、図４，５に示すように傾動体３をアンロック方向に付勢する戻りばね７が設けられている。戻りばね７は、ギヤ部材４ａの上部外周面に装着され、一端部がストッパー８に掛け止められ、他端部がギヤ部材４ａの掛止部４ａ２に掛け止められる。したがって傾動体３は、ワンウェイ機構４が解除された際に戻りばね７の付勢力によってアンロック方向に傾動する。
【００１６】
シリンダ錠５は、図４に示すように軸中心に錠軸５ａを有しており、錠軸５ａの先端に鍵穴５ｂを有している。シリンダ錠５は、ベース２ｂの内部に組付けられ、鍵穴５ｂがベース２ｂの開口穴２ｂ３によって開口される。したがって鍵穴５ｂに鍵９を挿入することで錠軸５ａを回動させることができる（図６参照）。
【００１７】
図５に示すように防犯装置１によって前扉１３をロックする場合は、傾動体３を前扉１３に向けて奥方向に傾動させる。これにより傾動体３の傾動軸部３ａとともにギヤ部材４ａが回動し、ギヤ部材４ａの歯４ａ１が順番に爪部材４ｃに係止する。そして傾動体３の作用部３ｂが前扉１３に当たるまで傾動することで、傾動体３がロック位置になり、ギヤ部材４ａと爪部材４ｃによって手前方向への傾動が規制される。かくして傾動体３が前扉１３の開放を阻止する（図２（Ａ）、図３（Ｂ）参照）。
【００１８】
図６に示すように防犯装置１をアンロック状態にする場合は、シリンダ錠５の鍵穴５ｂに鍵９を挿入し、鍵９を時計回りに回す。これにより錠軸５ａとともに解除部材６が回動して、解除部材６の押部６ｃが爪部材４ｃを押す。そして爪部材４ｃがコイルスプリング４ｄに抗して傾動して、爪部材４ｃの爪４ｃ１がギヤ部材４ａの歯４ａ１から外れる。そして傾動体３が戻りばね７によって手前方向に傾動してアンロック位置に移動し、前扉１３の開放を許容する（図２（Ｂ）、図３（Ａ）参照）。
【００１９】
以上のようにして実施の形態が形成されている。すなわち防犯装置１は、図３に示すように張出し台部１１ｂに固定される本体部２と、本体部２に手前奥方向に傾動可能に取付けられる傾動体３を有している。そして傾動体３は、奥方向に傾動されることで前扉１３を開放阻止するロック位置に傾動し（図３（Ｂ）参照）、ワンウェイ機構４によって手前方向への傾動が規制され、解除機構（解除部材６）によってワンウェイ機構４を解除して手前方向に傾動されることによって前扉１３を開放許容するアンロック位置に傾動する（図３（Ａ）参照）。
【００２０】
したがって防犯装置１は、台支持体１１の張出し台部１１ｂに固定される。そのため台支持体１１を大きく加工することなく、台支持体１１に後付けされ得る。また傾動体３は、奥方向に傾動してロック位置になり、ワンウェイ機構４によって手前方向に戻ることが規制される。そのため遊技台１２の厚みに応じて傾動体３のロック位置を変えることができるため、台交換の際に防犯装置１を調整することなく、各種遊技台に対応可能である。また防犯装置１は、解除する際に傾動体３を本体部２から取外す必要がないために、解除作業を容易に行うことができる。
【００２１】
図３、４に示すように解除機構（解除部材６）と、シリンダ錠５と、ワンウェイ機構４が本体部２内に設けられ、これらが一体に組付けられている。したがって防犯装置１は、ユニットとして張出し台部１１ｂに固定される。そのため張出し台部１１ｂに容易に後付けされ得る。また防犯装置１は、外部から目視できるため、目視的にも防犯効果を奏する。
【００２２】
（他の実施の形態）
本発明は、上記実施の形態に限定されず、以下の形態等であっても良い。
（１）上記実施の形態は、防犯装置１が台支持体１１の下側の張出し台部１１ｂに固定されていた。しかし防犯装置が上側の張出し台部に固定、あるいは遊技台の側部位置において台支持体の本体から手前側に張出す張出し台部に固定される形態であっても良い。
（２）上記実施の形態は、ワンウェイ機構を解除する解除機構として解除部材６を有しており、解除機構を解除する機構としてシリンダ錠を有していた。しかしこれらに代えて電気的に出没するピンを有し、そのピンによってワンウェイ機構を解除する形態であっても良い。
（３）上記実施の形態は、解除部材を操作する機構としてシリンダ錠を有していた。しかし解除部材をモータの出力によって解除部材を操作する機構を有している形態であっても良い。
【図面の簡単な説明】
【００２３】
【図１】台支持体と遊技台と防犯装置の正面図である。
【図２】台支持体と遊技台と防犯装置の側面図である。
【図３】防犯装置の斜視図である。
【図４】防犯装置の分解斜視図である。
【図５】アンロック位置からロック位置にする際の防犯装置の斜視図である。
【図６】ロック位置からアンロック位置にする際の防犯装置の斜視図である。
【符号の説明】
【００２４】
１…防犯装置
２…本体部
３…傾動体
４…ワンウェイ機構
４ａ…ギヤ部材
４ｃ…爪部材
５…シリンダ錠
６…解除部材
１１…台支持体
１１ｂ，１１ｃ…張出し台部
１２…遊技台
１３…前扉
【図１】
2009056094.tif 000003
【図２】
2009056094.tif 000004
【図３】
2009056094.tif 000005
【図４】
2009056094.tif 000006
【図５】
2009056094.tif 000007
【図６】
2009056094.tif 000008